(57)【要約】      （修正有）【課題】通気孔を通しての床下空間の存在を各企業のサーバ管理者などの視線から遮断し得るように、長孔からなる通気孔の開口長さ方向の向きやその開口配列などを考慮して新たに設計・開発されたフロアパネルを提供する。【解決手段】方形状を呈する外周枠部２の内側領域に、開口長さ方向の向きを複数方向に変えて多数の長孔１を備えている。長孔１は、外周枠部２の四辺縁２ａ〜２ｄのうち、一辺縁２ａを基準とし、当該一辺縁２ａに対して平行に開口する平行長孔１ａと、一辺縁２ａに対して垂直に開口する垂直長孔１ｂと、一辺縁２ａに対して斜めに開口する斜め長孔１ｃとからなる。また、平行長孔１ａ、垂直長孔１ｂ、斜め長孔１ｃは、それぞれが個々に群れを成すように等間隔をおいて、かつ、所定の区画要素内で並列開口されている。【選択図】図１
0003166784.tif 000002
【実用新案登録請求の範囲】
【請求項１】
多数の長孔を備えてフリーアクセスフロアを構築するフロアパネルであって、
方形状を呈する外周枠部の内側領域に、前記長孔を開口長さ方向の向きを複数方向に変えて備えてなり、
前記長孔は、前記外周枠部の四辺縁のうち、一辺縁を基準とし、当該一辺縁に対して平行に開口する平行長孔と、
前記一辺縁に対して垂直に開口する垂直長孔と、
前記一辺縁に対して斜めに開口する斜め長孔と、からなり、
前記平行長孔、前記垂直長孔、前記斜め長孔は、それぞれが個々に群れを成すように等間隔をおいて、かつ、所定大きさの区画要素内に並列開口されて、前記四辺縁側からそれぞれ見たときに、それぞれの開口長さ方向の開口縁が開口向き方向の違いにより交わる如く見えるように前記外周枠部の内側領域に配置されていることを特徴とするフロアパネル。
【請求項２】
前記斜め長孔は、対称形にて傾斜方向の向きを変えた二種類からなることを特徴とする請求項１に記載のフロアパネル。
【請求項３】
前記平行長孔、前記垂直長孔、前記斜め長孔は、裏面に向けて突出するリブを開口縁に沿わせてそれぞれ備え、該リブが、断面視で略斜め下向き形状または略Ｌ字形状に形成されていることを特徴とする請求項１または請求項２に記載のフロアパネル。
【請求項４】
前記平行長孔、前記垂直長孔、前記斜め長孔は、前記外周枠部の内側領域の中心点に対して点対称にそれぞれが開口配置されることを特徴とする請求項１〜３の何れかに記載のフロアパネル。
【考案の詳細な説明】
【技術分野】
【０００１】
本考案は、フリーアクセスフロアを構築するフロアパネルに係り、特に、フリーアクセスフロアによって上下に仕切られる床下と床上（室内）との間で空気を流通させるための多数の長孔、所謂通気孔を備えているフロアパネルに関する。
【背景技術】
【０００２】
データセンタ、サーバルーム、コンピュータルーム、そしてクリーンルームなどの大規模な室内では、サーバ機器、ＯＡ機器などの各種の設置機器類から発生する熱、そして埃などに対する室内空調(冷却)や防塵（清浄度維持）のために、空気流通用の多数の通気孔を備えているフロアパネル（一般に、「グレーチングパネル、空調用パネル」と称されている）をフロア構築高さ（フロア面）に敷き詰めてフリーアクセスフロア（二重床構造）を構築する床下空調方式が採用されている。
【０００３】
このようなフリーアクセスフロアは、例えば、コンクリート製の基礎床面（スラブ）に支持脚などと称されている支持部材を、平面視で方形状を呈するフロアパネルの外周枠部の各辺寸法間隔をおいて立設配置し、各支持部材の上に隣接敷き詰められる各フロアパネルの四隅コーナーを載承支持させる施工によって、基礎床面から支持部材の高さに相当する高さをおいて構築される。
これにより、フリーアクセスフロアによって仕切られた床下側（スラブ側）を空調機から空調空気（圧送空気、主に冷気）を供給する空気の供給路（床下チャンバ）とし、この供給路を通して空調機から送り込まれてくる空調空気が、各フロアパネルの通気孔より設置機器類が設置されている床上の室内に吹き出して室内の空調（冷却）や防塵（清浄度維持）を行う床下空調方式としている。
【０００４】
そして、このような床下空調方式のフリーアクセスフロアを構築するために用いられるフロアパネルとしては、例えば、特許文献１などにおいて知られている。
【０００５】
ところで、近年では、空調空気の供給路として利用される床下空間を、２０００〜３０００ｍｍというかなりの高さで確保するために、当該高さレベルでフリーアクセスフロアを構築することが行われるようになってきている。
例えば、数台から数十台のサーバ機器を使用する各企業では、近年、社内でサーバ機器の設置管理を行わずに、外部に委託する傾向が見られる。それは、サーバ機器を設置するための広い部屋（フロア）の確保と室内の空調管理などにコストが掛かるなどからである。
そこで、各企業では、大規模なサーバルームやデータセンタなどを所有し、サーバ機器などの設置管理を専門に取り扱う管理会社にサーバ機器などの設置を委託している。
【０００６】
そして、各企業から設置委託されたサーバ機器などが設置される大規模なサーバルームやデータセンタは、数多くのサーバ機器などから発生する大容量の発熱量に対して、大容量の冷気を２０００〜３０００ｍｍという高さの床下空間から吹出し循環させることで、大規模なサーバルームやデータセンタの空調（冷却）や防塵（清浄度維持）に対応するものである。
このように、空調機から空調空気（冷気）を供給する空気の供給路となり、また、サーバ機器などからの配線のための空間となる床下空間を、２０００〜３０００ｍｍの高さを有する広い空間とすることで、配線などで混雑していた状況が解消されて通気性が格段に向上して空調効率が大幅にアップ、そして大容量の冷気の吹出し循環を可能にする。
【先行技術文献】
【特許文献】
【０００７】
【特許文献１】特開２００８−２８５８５０号公報
【考案の概要】
【考案が解決しようとする課題】
【０００８】
しかしながら、特許文献１に記載のフロアパネルを含めて従来から知られているフロアパネルは、床下空間を３００〜５００ｍｍ程度の高さにて確保すべくそのフロア構築高さでフロア一面にフリーアクセスフロアを構築することを目的に設計・開発が成されて製作されたもので、２０００〜３０００ｍｍというフロア構築高さ（高所）においてフリーアクセスフロアを構築することについては全く想定も考慮も成されていない。
そのために、例えば、大規模のサーバルームやデータセンタなどにサーバ機器の設置管理を委託している各企業のサーバ管理者などが、サーバルームやデータセンタに出入りして自社所有のサーバ機器などのメンテナンスや新たなサーバ機器などの増設などを行う場合、サーバルームへの出入り口からサーバ機器の設置場所へ移動する際にフロアに敷設されているフロアパネルの通気孔を通して２０００〜３０００ｍｍという高さの床下空間がサーバ管理者などの視線（目線）に入り易く、高所恐怖感を与えるおそれがあった。
【０００９】
そこで、本考案は、前記課題を解消するために創案されたものであり、２０００〜３０００ｍｍという高所にフリーアクセスフロアを構築するフロアパネルであって、通気孔である長孔を通しての床下空間の存在を各企業のサーバ管理者の視線から遮断し得るように、長孔の開口長さ方向の向きやその開口配置などを考慮して新たに設計・開発されたフロアパネルを提供することにある。
【課題を解決するための手段】
【００１０】
前記課題を解決するために、本考案では、多数の長孔を備えてフリーアクセスフロアを構築するフロアパネルであって、
方形状を呈する外周枠部の内側領域に、前記長孔を開口長さ方向の向きを複数方向に変えてそれぞれ備えてなり、前記長孔は、前記外周枠部の四辺縁のうち、一辺縁を基準とし、当該一辺縁に対して平行に開口する平行長孔と、前記一辺縁に対して垂直に開口する垂直長孔と、前記一辺縁に対して斜めに開口する斜め長孔とからなり、前記平行長孔、前記垂直長孔、前記斜め長孔は、それぞれが個々に群れを成すように等間隔をおいて、かつ、所定大きさの区画要素内に並列開口されて、前記四辺縁側からそれぞれ見たときに、それぞれの開口長さ方向の開口縁が開口向き方向の違いにより交わる如く見えるように前記外周枠部の内側領域に配置されることを特徴とする。
【００１１】
ここで、前記斜め長孔は、対称形にて傾斜方向の向きを変えた二種類からなること、そして、前記平行長孔、前記垂直長孔、前記斜め長孔は、裏面に向けて突出するリブを開口縁に沿わせてそれぞれ備え、該リブが、断面視で略斜め下向き形状または略Ｌ字形状に形成されていること、さらに、前記平行長孔、前記垂直長孔、前記斜め長孔は、前記外周枠部の内側領域の中心点に対して点対称にそれぞれ開口配置されていること、などの構成を採用することが好適なものとなる。
【考案の効果】
【００１２】
本考案のフロアパネルによれば、外周枠部の四辺縁のうち、一辺縁を基準とする平行長孔、垂直長孔、斜め長孔は、外周枠部の内側領域に配置されるそれぞれの区画要素内で個々に群れを成すように等間隔をおいて並列開口されて、四辺縁側（四方）から見たときに、それぞれの開口長さ方向の開口縁が開口向き方向の違いにより交わる如く見えるように外周枠部の内側領域に配置されていることで、例えば、サーバルームなどにおいて、各企業などのサーバ管理者がサーバルームに出入りしたとき、サーバ管理者の視線には平行長孔、垂直長孔、斜め長孔からなる長孔の開口長さ方向の開口縁が交わる如く見える。
つまり、フロアパネルの開口している多数の長孔は、孔ではなく、線や面としてサーバ管理者の視線に入る錯覚をサーバ管理者などに与えることができる。これにより、２０００〜３０００ｍｍという高さの床下空間の存在を各企業のサーバ管理者の視線から遮断する効果が得られる。
【００１３】
また、斜め長孔を一方向のみならず、対称形にて向きを変えた二種類とすること、そして、長孔の開口長さ方向の開口縁に沿って設けられるリブの断面形状を、略斜め下向き形状または略Ｌ字形状とすること、などの構成を採用することで、遮断効果をより一層効果的に向上させることができる。
【００１４】
また、平行長孔、垂直長孔、斜め長孔の外周枠部の内側領域への配置を、内側領域の中心点に対して点対称としていることで、フリーアクセスフロアを施工する際のフロアパネルの敷設作業時において、フロアパネルの敷設方向性を気にすることなく、フロアパネルをフロア構築高さ（フロア面）に敷き詰め配設することができる。
【図面の簡単な説明】
【００１５】
【図１】本実施形態に係るフロアパネルの一例を示す平面図である。
【図２】(ａ)は、図１のＩＩ−ＩＩ線縦断参考図であり、（ｂ）は、（ａ）におけるＳ部の拡大断面図であり、（ｃ）は、同Ｓ部において小リブを略斜め下向き形状に形成した例の拡大断面図であり、（ｄ）は、同Ｓ部において小リブを略Ｌ字形状に形成した例の拡大断面図である。
【図３】区画要素の内側領域への配置の一例を示す本実施形態に係るフロアパネルの概略平面図である。
【図４】本実施形態に係るフロアパネルを敷き詰め配設して構築されるフリーアクセスフロアの一部を示す平面図である。
【図５】同フリーアクセスフロアを概略的に示す縦断説明図である。
【考案を実施するための形態】
【００１６】
以下、本考案の実施形態について、適宜図面を参照しながら詳細に説明する。
図１は、本考案の実施形態に係るフロアパネルの一例を示す平面図であり、図２は、同フロアパネルの縦断参考図および拡大断面図である。
【００１７】
≪フロアパネルの説明≫
フロアパネルＡは、四方が外周枠部２で囲まれた４５０〜６００ｍｍ角程度の大きさを有する方形状（矩形状）に形成されている。外周枠部２は、フロアパネルＡのパネル厚さ（パネル高さ）にて形成されている。
そして、フロアパネルＡは、外周枠部２で囲まれた内側領域に、開口長さ方向の向きを複数方向に変えてそれぞれ開口される多数の長孔１を備えている。
【００１８】
また、フロアパネルＡは、図１および図２に示すように、外周枠部２の内側領域におけるパネル裏面に、下向きに突出配置される大リブ３、中リブ４、小リブ５をそれぞれ備えている。
【００１９】
大リブ３、中リブ４、小リブ５は、フロアパネルＡの機械的強度などの耐荷重性能を所望の値にすると同時に、後記の平行長孔１ａ、垂直長孔１ｂ、両斜め長孔１ｃ，１ｄからなる長孔１を、それぞれが個々に群れを成すように等間隔をおいて並列開口するための区画要素Ｓ１〜Ｓ９を外周枠部２の内側領域に形成するようにパネル裏面の要所において下向きに突出配置される。
大リブ３は、外周枠部２の高さと同じ高さにて形成されている。中リブ４は、大リブ３よりも高さが低く形成されている。小リブ５は、中リブ４よりも高さがさらに低く、なおかつ、リブ厚が薄く形成されている。
【００２０】
≪長孔の説明≫
長孔１は、後記する図３および図４に示すように構築されたフリーアクセスフロア（二重床構造）Ｆの床下空間Ｍからの空調空気（圧送空気、主に冷気）が、サーバ機器などの設置機器類が設置されている床上の室内（サーバルームなど）Ｎに吹き出すための室内空調用の通気孔である。
この長孔１は、図１および図２に示すように、外周枠部２、そして大リブ３、中リブ４、小リブ５によって外周枠部２の内側領域に開口されるものであり、外周枠部２の四辺縁２ａ〜２ｄのうち、一辺縁２ａ（図示紙面下側辺縁）を基準として見た場合、当該一辺縁２ａに対して平行に開口する平行長孔１ａと、一辺縁２ａに対して垂直に開口する垂直長孔１ｂと、一辺縁２ａに対して右下がり斜めに開口する斜め長孔１ｃ、そして、この斜め長孔１ｃに対して対称形にて傾斜方向の向きを左下がり斜めに開口する斜め長孔１ｄとからなる。
なお、両斜め長孔１ｃ，１ｄは、一辺縁２ａに対して４５°の傾斜角度をなして線対称に開口されている。
【００２１】
≪区画要素の説明≫
図３は、区画要素の内側領域への配置の一例を示す本実施形態に係るフロアパネルの概略平面図である。ここでは、図１および図２を適宜参照しながら説明する。
区画要素Ｓ１〜Ｓ９は、図１に示すように、外周枠部２、大リブ３、中リブ４によって外周枠部２の内側領域に、平面視で長方形状、四角形状、三角形状にそれぞれ形成されて、平行長孔１ａ、垂直長孔１ｂ、両斜め長孔１ｃ，１ｄが、それぞれ個々に群れを成すように等間隔をおいて並列開口されるための区域である。
【００２２】
すなわち、大リブ３は、図１および図２に示すように、外周枠部２から所定の間隔をおいてその内側に平行に四辺縁２ａ〜２ｄ間にわたりそれぞれ突出配置されている。
また、大リブ３は、内側領域の中心点Ｐを通ってフロアパネルＡの四隅コーナーの交差連設部６間にわたる対角線上Ｘに位置してそれぞれ突出配置されている。
【００２３】
中リブ４は、図１に示すように、中心点Ｐを通る対角線上Ｘに位置して突出配置されている両大リブ３とそれぞれ平行で、かつ、フロアパネルＡの四隅コーナー側に所定の等間隔おいて外周枠部２の内側に突出配置されている各大リブ３に付き合わせ連設するように複数本がそれぞれ突出配置されている。
また、中リブ４は、内側領域の中心点Ｐを通って外周枠部２（各四辺縁２ａ〜２ｄ）と平行とする平行中心線上Ｙに位置してそれぞれ突出配置されている。
さらに、中リブ４は、図１に示すように、対角線上Ｘに位置して突出配置された両大リブ３とそれぞれ平行で、かつ、外周枠部２と平行に配置された各大リブ３に付き合わせ連設する各連設部７から外周枠部２に垂直（四辺縁２ａ〜２ｄに対してそれぞれ垂直）に繋がるようにそれぞれ突出配置されている。
【００２４】
このように、大リブ３、中リブ４が外周枠部２の内側領域の要所において突出配置されることで、内側領域には、図３に示すように、外周枠部２、大リブ３と中リブ４で囲まれた長方形状の区画要素Ｓ１，Ｓ２が、外周枠部２（各四辺縁２ａ〜２ｄ）に沿って配置され、また、外周枠部２、大リブ３と中リブ４で囲まれた四角形状の区画要素Ｓ３が四隅コーナー部分にそれぞれ配置される。
【００２５】
また、図３に示すように、内側領域には、外周枠部２と平行に突出配置された各大リブ３と、中心点Ｐを通る両中リブ４に沿って、大リブ３と中リブ４で、そして中リブ４のみで囲まれた三角形状の区画要素Ｓ４〜Ｓ７がそれぞれ配置され、また、これらの三角形状の区画要素Ｓ４〜Ｓ７によって囲まれた内側領域の対角線上Ｘに位置して突出配置されている両大リブ３に沿って、大リブ３と中リブ４で囲まれた四角形状の区画要素Ｓ８，Ｓ９がそれぞれ配置される。
【００２６】
そして、このような配置形態（配置パターン）にて外周枠部２の内側領域に配置された各区画要素Ｓ１〜Ｓ９のうち、区画要素Ｓ１，Ｓ３，Ｓ４，Ｓ６に、一辺縁２ａ（図１紙面下側辺縁）を基準として、該一辺縁２ａに対して平行な複数本の小リブ５を下向きに突出配置することで、区画要素Ｓ１，Ｓ３，Ｓ４，Ｓ６内には、図１に示すように、一辺縁２ａに対して平行な平行長孔１ａが等間隔をおいて並列開口される。
また、区画要素Ｓ２，Ｓ５，Ｓ７に、一辺縁２ａを基準として、該一辺縁２ａに対して垂直な複数本の小リブ５を下向きに突出配置することで、区画要素Ｓ２，Ｓ５，Ｓ７内には、一辺縁２ａに対して垂直な垂直長孔１ｂが等間隔をおいて並列開口される。
また、区画要素８に、一辺縁２ａを基準として、該一辺縁２ａに対して右下がり斜めの複数本の小リブ５を下向きに突出配置することで、区画要素８内には、一辺縁２ａに対して右下がり斜めの斜め長孔１ｃが等間隔をおいて並列開口される。さらに、区画要素９に、一辺縁２ａを基準として、該一辺縁２ａに対して右下がり斜めの複数本の小リブ５を下向きに突出配置することで、区画要素Ｓ９内には、一辺縁２ａに対して左下がり斜めの斜め長孔１ｄが等間隔をおいて並列開口される。
【００２７】
しかして、それぞれの区画要素Ｓ１〜Ｓ９内において開口長さ方向の向きを変えてそれぞれ平行、垂直、斜め方向に群れを成すように並列開口される平行長孔１ａ、垂直長孔１ｂ、両斜め長孔１ｃ，１ｄは、外周枠部２の内側領域の中心点Ｐを基点として点対称に内側領域に配置される。
具体的に述べると、図１に示すように、中心点Ｐを通るフロアパネルＡの対角線上Ｘにおいて突出配置された両大リブ３によって、中心点Ｐを基点に四辺縁１ａ〜１ｄ側にそれぞれ向けて正方形の内側領域が二等辺三角形に区分けされる三角領域において開口する平行長孔１ａ、垂直長孔１ｂ、両斜め長孔１ｃ，１ｄの配置は、中心点Ｐを基点として点対称となっている。また、中心点Ｐを通る外周枠部２（四辺縁２ａ〜２ｄ）と平行な平行中心線Ｙを対称軸として、平行長孔１ａ、垂直長孔１ｂ、両斜め長孔１ｃ，１ｄの配置は、辺縁２ａ側と辺縁２ｂ側、そして辺縁２ｃ側と辺縁２ｄ側に線対称となっている。
これにより、図４に示すフリーアクセルフロアＦの施工時において、フロア一面に碁盤目状に敷き詰められるフロアパネルＡの敷設方向性が問われないために、作業性の向上が図られる。
【００２８】
［作用説明］
つぎに、以上のように構成されている本実施形態に係るフロアパネルＡについて簡単に説明する。
図４は、本実施形態に係るフロアパネルを敷き詰め配設して構築されるフリーアクセスフロアの一例を示す平面図であり、図５は、同フリーアクセスフロアを概略的に示す縦断説明図である。
フロアパネルＡは、図４および図５に示すように、外周枠部２（四辺縁２ａ〜２ｄ）同士を相互に付き合わせた状態で碁盤目状に敷き詰め配設される。このとき、区画要素Ｓ１〜Ｓ９内にそれぞれ開口長さ方向の向きを変えて並列開口される平行長孔１ａ、垂直長孔１ｂ、両斜め長孔１ｃ，１ｄは、外周枠部２の内側領域における中心部Ｐを基点として点対称に内側領域に配置されていることで、フロアパネルＡの敷設方向性を気にすることなく、つまり、相互に付き合わせる外周枠部２同士の突合せ方向性を気にすることなく、フロアパネルＡをフロア構築高さ（フロア面）に敷き詰め配設することができる。
これにより、図５に示すように、Ｈ鋼などからなる梁材を用いて２０００〜３０００ｍｍという高さ（フロア構築高さ）Ｌに枠組み横架された格子基材Ｇの上にフリーアクセスフロアＦが構築される。
【００２９】
しかして、フリーアクセスフロアＦのフロア一面に敷設されたフロアパネルＡの外周枠部２の内側領域に開口されている平行長孔１ａ、垂直長孔１ｂ、両斜め長孔１ｃ,１ｄは、外周枠部２の四方から見たときに、それぞれの開口長さ方向の開口縁が開口向き方向の違いにより交わる如く見えることで、例えば、サーバルームなどにおいて、各企業などのサーバ管理者がサーバルームに出入りしたとき、サーバ管理者の視線には平行長孔１ａ、垂直長孔１ｂ、両斜め長孔１ｃ,１ｄの開口長さ方向の開口縁が交わる如く見える。
つまり、開口長さ方向の向きを複数方向に変えてフロアパネルＡの外周枠部２の内側領域に開口されている平行長孔１ａ、垂直長孔１ｂ、両斜め長孔１ｃ,１ｄは、孔ではなく、線や面としてサーバ管理者の視線に入る錯覚をサーバ管理者などに与えることができる。これにより、２０００〜３０００ｍｍという高さＬの床下空間Ｍの存在を各企業のサーバ管理者の視線から遮断する効果が得られる。
【００３０】
［他の実施形態の説明］
ここでは、図２の（ｃ）（ｄ）を適宜参照しながら説明する。
また、本実施形態では、長孔１の開口縁、特に、開口長さ方向の開口縁に沿って下向きに突出する小リブ５−１の突出形状を、図２の（ｃ）に示すように、断面視で略斜め下向き形状に形成している。また、小リブ５−２の突出形状を、図２の（ｄ）に示すように、断面視で略Ｌ字形状に形成している。
これにより、例えば、サーバルームへ出入りする各企業のサーバ管理者などに対する視線遮断効果をさらに向上させて、フロアパネルＡの長孔（通気孔）１を通して２０００〜３０００ｍｍという高さＬの床下空間Ｍに対する高所恐怖感をさらに軽減し得る長孔開口形状としている。
【００３１】
以上、本考案の具体的な実施形態について図面を参照して詳述してきたが、具体的な構成はこれらの実施形態に限られるものではなく、本考案の要旨を逸脱しない範囲の設計の変更等があっても本考案に含まれる。その目的および構成などに特に矛盾や問題がない限り、互いの記載内容を組み合わせることが可能である。また、本考案の実施形態は各図を組み合わせた一つの実施形態に限定されるものではない。
【符号の説明】
【００３２】
Ａ      フロアパネル
１      長孔（通気孔）
１ａ    平行長孔
１ｂ    垂直長孔
１ｃ，１ｄ  斜め長孔
２      外周枠部
２ａ〜２ｄ  四辺縁
５，５−１，５−２  小リブ
Ｓ１〜Ｓ９  区画要素
Ｆ      フリーアクセスフロア
【図１】
0003166784.tif 000003
【図２】
0003166784.tif 000004
【図３】
0003166784.tif 000005
【図４】
0003166784.tif 000006
【図５】
0003166784.tif 000007